(57)【要約】データを有するデータ媒体を具備するアイデンティティ文書である。これらのデータは顔面の画像を含んでいる。この画像は異なる角度で観察される２つのコンポーネント画像からなる。２つの画像を同時に観察することによって、アイデンティティ文書を調査する人はさらに顔面についての情報を得ることができる。これは２つの画像が５゜−２０゜の比較的小さい角度で与えられるために可能である。【選択図】なし
2008536235.tif 000002
【特許請求の範囲】
【請求項１】
データ（２）を有するデータ媒体（１）を具備し、前記データは２つの画像（４）を含み、それらの画像は相互に関してオフセットして与えられており、レーザ光に対して感度のある画像層（８）中で相互にオーバーラップしており、それにおいて透光性材料で構成されレンズアレイ（５）を形成している層が前記画像層へ与えられ、前記２つの画像（６、７）は前記データ媒体に対して第１の角度で観察するときに第１の画像（６）が可視であり、第２の角度で観察するとき前記第２の画像（７）が可視であるように与えられているアイデンティティ文書において、
画像は異なる角度で観察される同じ顔面（12）の２つの画像を含み、前記第１の角度と第２の角度との間の角度が５゜乃至２０゜の範囲の角度であるように前記画像（６、７）が与えられ、レンズアレイの前記レンズが形成されていることを特徴とするアイデンティティ文書。
【請求項２】
前記画像の少なくとも１つは画像（６、７）が比較可能であるように画像の補正を有している請求項１記載のアイデンティティ文書。
【請求項３】
レンズアレイを形成する層は１００−４００μｍの直径（ｄ）を有している請求項１または２記載のアイデンティティ文書。
【請求項４】
カード状のデータ媒体を具備している請求項１乃至３のいずれか１項記載のアイデンティティ文書。
【請求項５】
レーザ光に感度がある前記層はポリカーボネート材料で構成されている請求項１記載のアイデンティティ文書。
【請求項６】
データ（２）を有するデータ媒体（１）を具備し、画像層およびレンズアレイが設けられる層（５）を具備し、前記データは２つの画像（６、７）を含み、前記画像はレーザ束を使用してレーザ光に対して感度がある前記画像層（８）において相互に対してオフセットしレンズアレイ（５）を形成している前記層とオーバーラップして刻まれ、それは前記データ媒体に対して第１の角度で観察するときに第１の画像（６）が可視であり、第２の角度で観察するとき前記第２の画像（７）が可視であるように刻まれるアイデンティティ文書の製造方法において、
前記２つの画像は異なる角度で観察される顔面の２つの画像を提供することにより形成され、前記第１の角度と第２の角度との間の角度が５゜乃至２０゜の範囲の角度であるように前記画像が与えられ、レンズアレイの前記レンズが形成されていることを特徴とする方法。
【請求項７】
前記異なる画像は異なる角度で前記顔面を登録することにより得られる請求項６記載の方法。
【請求項８】
遠近補正が１つの画像で行われる請求項１乃至７のいずれか１項記載の方法。
【請求項９】
前記遠近補正は登録後で前記画像を与える前に行われる請求項８記載の方法。
【発明の詳細な説明】
【技術分野】
【０００１】
本発明はデータを有するデータ媒体を含んでいるアイデンティティ文書に関し、前記データは２つの画像を含み、前記画像は相互に関してオフセットして与えられており、レーザ光に対して感度のある画像層中で相互にオーバーラップし、それにおいて（レーザ）透光性材料で構成されてレンズアレイを形成している層は前記画像層へ与えられ、前記画像は前記データ媒体に対して第１の角度で観察するときに第１の画像が可視であり、第２の角度で観察するとき前記第２の画像が可視であるように与えられる。
【背景技術】
【０００２】
このタイプのアイデンティティ文書はEP 0 219 012 A1号明細書に記載されている。この文献では、レーザ光に感度のある層中のレンズ構造を通してレーザ光により刻まれた２または３の画像からなる認証マークが記載されている。異なる角度で問題のカードまたはその他のデータ媒体を保持することにより、画像の１つを常に観察することができる。異なる画像が与えられる角度はそれぞれ＋２７゜と−２７゜である。これはパスポート、運転免許証等のようなアイデンティティ文書で付加的なセキュリティを提供する。しかしながら、ユーザ、即ち識別文書をチェックする人に対しては、このような異なる画像が存在することは常に明白であるわけではない。さらにあるチェックポイントでは、アイデンティティ文書中の全ての認証マークをチェックする十分な時間はなく、その結果、異なる画像の存在のチェックが見落とされる。結果として、認証マークは通常の状態で常に最適に使用されるとは限らない。
【０００３】
レンズ構造が設けられているアイデンティティ文書はEP 0 323 108号明細書に記載されている。異なる角度で観察することによって、異なる画像が観察されることができる。
【０００４】
カードを傾斜することによっても２つの異なる画像が見られることのできるアイデンティティカードはDE 8529297U号明細書に記載されている。
【発明の開示】
【発明が解決しようとする課題】
【０００５】
本発明の目的は、１次認証マーク、即ちさらに補助なしにユーザによって直ちに認識可能な簡単な認証マークを有するアイデンティティ文書に提供することであり、その場合にはユーザはさらにどのようにしてこのマークが形成されるべきであるかを知っていなければならない。
【課題を解決するための手段】
【０００６】
この目的は、前記画像が異なる角度で観察される同じ顔面の２つの画像を含み、前記第１の角度と第２の角度との角度が５゜乃至２０゜の範囲の角度であるように前記画像が存在し、レンズアレイの前記レンズが形成されているような前述のアイデンティティ文書で実現される。
【０００７】
本発明によれば、２つの完全に異なる画像はレーザ光に対して感度のある層中に比較的大きい角度で刻まれるのではなく、２つの相互に依存する画像がレーザ光に対して感度のある層中に比較的限定された角度で与えられる。即ち、同じ顔面は２つの異なる角度で傾斜することにより観察されることができる。このことは、ユーザ、即ち検査員の観察位置において、両画像が同時にユーザにより登録されることができ、それによって深さの効果が生じる。その結果、従来の技術と比較して角度は比較的限定される。前述の角度は１０゜と１５゜の間であることが好ましいが、特に約１２゜であることが好ましい。この値はユーザとアイデンティティ文書との間の約３０乃至４０ｃｍの距離による平均的な観察に適用される。
【０００８】
アイデンティティ文書をチェックするとき、ユーザは常にアイデンティティ文書の所有者の顔面上で与えられる画像を調査しようとする。ユーザはチェックを受ける人の顔面の遠近画像をこのように（ユーザの脳中で）形成する２つの異なる画像を自動的に観察する。この行動は反射運動として生じる。１つの画像しか存在しないならば、これは直ぐに検査員に知覚可能であり、２つの画像間に誤差が存在するならば、これは一目で検査員に知覚可能である。
【０００９】
２つの画像の代わりに３以上の画像が使用されることができることが理解されよう。この特徴はレーザ光に対して感度のある層中の所望される画素間隔と所望される画素寸法に依存している。
【００１０】
原理的に画像は異なる角度で同じ顔面で生成され、レーザ光に対して感度のある層にこの画像は刻まれるので、本発明の有効な実施形態によれば、得られる遠近画像に対して画像修正は前記画像のうちの少なくとも１つに対して行われ、それによって前記２つの画像が組み合わされるとき、自然の転位が得られる。即ち、遠近歪の修正が行われるべきである。
【００１１】
カードを使用するときのようなある識別手段により、このようなカードの全体的な厚さに関して国際的な規制が存在する。このような場合、個々のレンズの直径およびレンズアレイを形成する層の厚さは約１００−４００μｍでなければならず、特に約１５０−２５０μｍでなければならない。レンズアレイを形成する層は任意のタイプのレンズからなることができることが理解されるであろう。例えば多数の隣接する円筒形レンズを適用することが可能であり、（部分的に）球面のレンズのセットを提供することも可能である。
【００１２】
レーザ光に対して感度のある層は原理的にレーザ光を使用して刻まれることができる任意の層であることができる。炭素を含むポリカーボネートはレーザ束の影響下で容易に黒色になる可能性があり、或いは異なる色を呈するようになる材料である。
【００１３】
本発明はさらにアイデンティティ文書の製造方法に関し、このアイデンティティ文書は画像層およびレンズアレイが設けられる層からなるデータを有するデータ媒体を具備し、前記データは２つの画像を含み、この画像はレーザビームを使用してレーザ光に対して感度がある画像層において、相互に関してオフセットし、レンズアレイを形成している前記層とオーバーラップして刻まれ、それは前記データ媒体に対して第１の角度で観察するときに第１の画像が可視であり、第２の角度で観察するとき前記第２の画像が可視であり、前記２つの画像は異なる角度で観察される顔面の２つの画像を提供することにより得られ、前記第１の角度と第２の角度との間の角度が５゜乃至２０゜の範囲の角度であるように前記画像が与えられ、レンズアレイの前記レンズが形成される。
【００１４】
２以上の異なる画像は現在の技術で知られている種々の方法により得られることができる。好ましい実施形態によれば、顔面の画像は常に２つのカメラによって、即ち２つの観察点から作成される。特定の実施形態によれば、この画像はカードを発行する当局により製造される。即ちカードの所有者は自分の画像を得る必要はない。
【００１５】
画像を提供する別の方法は、２つの画像を単一の観察点から発生することのできる特別なレンズシステムの使用である。これは光学的に行われることができるが、これをソフトウェアによって実現することも可能である。即ち、２つの画像は動作領域の投影により生成される。
【００１６】
全ての場合において、遠近補正を適用することが望ましいであろう。画像を提供する別の方法もまたカード発行当局により好ましい実施形態にしたがって行われる。
【００１７】
アイデンティティ文書はパスポート、特にパスポートに組み込まれているカード状部品を含むことが好ましい。
【００１８】
本発明を図面に示されている例示的な実施形態を参照して以下さらに詳細に説明する。
【発明を実施するための最良の形態】
【００１９】
図１では、カードのような識別手段は符合１によりその全体が示されている。このタイプのカードはデータ媒体とも呼ばれている。このカード上には(合法の)所有者のデータが符合２によって示されており、写真が３により示されている。この写真３は複合画像４から構成されている。
【００２０】
この複合画像の詳細は図２に示されている。（半）円筒形レンズからなるレンズ構造５が存在する。このレンズ構造の直径は１００−４００μｍであり、この例では約１２０μｍである。このレンズの中心線の長さは厚さｄにほぼ等しい。
【００２１】
図２では、異なった相互にオフセットした画像６と７が存在することが分かる。これらは異なる角度で位置されているレーザビーム９で刻まれることにより実現され、最初に画像６に関する情報を刻み、その後第２の角度で画像７に関する情報を刻む。
【００２２】
本発明によれば、画像６と７は同じオブジェクトに関するものであり、特に異なる角度から見たアイデンティティ文書の所有者の顔面に関する。画像６と７の最大の相互オフセットはレンズ構造５のレンズ直径の約５０％であり、特に約３０％である。３以上の画像が使用されるならば、別々の画像間のオフセットは小さくなる。
【００２３】
画像はレーザ光に感度のある層８に刻まれる。これはポリカーボネート材料であることが好ましい。同じ材料がレンズ構造５に使用されることが好ましい。
【００２４】
図３はこのような複合画像アセンブリ４が得られる方法を示している。アイデンティティ文書の所有者の顔面は12により示され、第１のカメラは13により示され、第２のカメラは14により示されている。図３では、所有者の顔面は２つの異なる角度位置から記録されることが認められる。
【００２５】
次に、２つの画像が相互に比較可能であるように幾つかの方法で遠近補正が行われる。
【００２６】
図４は観察者16が２つの画像６と７を同時に観察している状態を示している。１０゜と２０゜の間、特に１０゜と１５゜の間であり、さらに特に約１２゜である比較的小さい角度αであるために、観察者16は左目で画像６を観察し、右目で画像７を観察することができる。結果として、所有者12の顔面の画像が観察者の脳中で形成され、それは深さの情報を含んでいる。この画像を最適化するために、前述の遠近補正の適用が必要である。このような遠近補正はカメラ13と14の補助により、観察期間中または２つの画像の処理期間中、或いはレーザ光に感度のある層８に刻まれる期間中に行われることができる。
【００２７】
２以上の所望の画像を図３で示されている方法とは異なる別の方法で得ることが可能であることが理解されよう。
【００２８】
前述の説明を考慮して、当業者には変形が直ちに明白であり、これらの変形は前述の説明を考慮して明白であり本発明の請求の範囲の技術的範囲内のものである。
【図面の簡単な説明】
【００２９】
【図１】本発明によるアイデンティティ文書の概略図。
【図２】図１の写真画像の詳細な断面図。
【図３】図２による画像生成の１例を示す図。
【図４】図１によるアイデンティティ文書の観察図。
【図１】
2008536235.tif 000003
【図２】
2008536235.tif 000004
【図３】
2008536235.tif 000005
【図４】
2008536235.tif 000006
【手続補正書】
【提出日】平成20年1月15日(2008.1.15)
【手続補正１】
【補正対象書類名】特許請求の範囲
【補正対象項目名】請求項８
【補正方法】変更
【補正の内容】
【請求項８】
遠近補正が１つの画像で行われる請求項６または７記載の方法。
【国際調査報告】
2008536235.tif 000007
2008536235.tif 000008